(57)【要約】【課題】スタンド体の枠部を枠部包持部において適切に保持するとともに、脚部が設置面に強固に接地した状態で、スタンド体を安全確実に固定できるスタンド用重錘ブロック体を提供する。【解決手段】重錘ブロック体１にスタンド体枠部２０ａを包持する枠部包持部６を形成し、枠部包持部６の両側部に脚部７、７を形成するとともに、脚部７，7に、該脚部本体部より接地面積を小さくした接地部７ｂ，７ｂを形成した。また枠部包持部６を、接地面からの高さ方向に複数の枠部を包持し得る深さに形成した。【選択図】図２
0003126828.tif 000002
【実用新案登録請求の範囲】
【請求項１】
スタンド体の枠部に跨設する重錘ブロック体であり、
前記重錘ブロック体に前記スタンド体の枠部を包持する枠部包持部を形成し、
前記枠部包持部の両側部に脚部を形成するとともに、
前記脚部に、該脚部本体部より接地面積を小さくした接地部を形成したことを特徴とするスタンド用重錘ブロック体。
【請求項２】
スタンド体の枠部に跨設する重錘ブロック体であり、
前記重錘ブロック体に前記スタンド体の枠部を包持する枠部包持部を形成し、
前記枠部包持部の両側部に脚部を形成するとともに、
前記枠部包持部を、接地面からの高さ方向に複数の枠部を包持し得る深さに形成したことを特徴とするスタンド用重錘ブロック体。
【請求項３】
前記脚部に、該脚部本体部より接地面積を小さくした接地部を形成したことを特徴とする請求項２に記載のスタンド用重錘ブロック体。
【請求項４】
前記接地部は、脚部本体部の底面部に接地凸部を設けたものであることを特徴とする請求項１又は３に記載のスタンド用重錘ブロック体。
【請求項５】
前記接地凸部の接地面部を湾曲面としたことを特徴とする請求項４に記載のスタンド用重錘ブロック体。
【請求項６】
脚部本体部の外側面部を中央部が膨出した湾曲面としたことを特徴とする請求項１〜５のいずれかに記載のスタンド用重錘ブロック体。
【請求項７】
前記脚部本体部に、下方に向かって鋭角となるような傾斜面を形成し、該傾斜面の先端部を接地部としたことを特徴とする請求項１又は３に記載のスタンド用重錘ブロック体。
【請求項８】
前記脚部本体部は、前記枠部包持部と連続する下面部を傾斜面としたことを特徴とする請求項７に記載のスタンド用重錘ブロック体。
【請求項９】
前記脚部本体部の外側面部を外側に向かって傾斜する傾斜面としたことを特徴とする請求項７又は８に記載のスタンド用重錘ブロック体。
【請求項１０】
前記枠部包持部は、Ｕ字状に形成されていることを特徴とする請求項１〜９のいずれかに記載のスタンド用重錘ブロック体。
【請求項１１】
前記枠部包持部は、下方に向かって外側に傾斜する傾斜面を有していることを特徴とする請求項１０に記載のスタンド用重錘ブロック体。
【請求項１２】
前記接地部を、脚部本体部の長手方向の端部に設けたことを特徴とする請求項１〜１１のいずれかに記載のスタンド用重錘ブロック体。
【請求項１３】
前記重錘ブロック体のコーナー部は湾曲面であることを特徴とする請求項１〜１２のいずれかに記載のスタンド用重錘ブロック体。
【請求項１４】
前記重錘ブロック体は、空洞容器であり、内部に重量物を充填する口部を有していることを特徴とする請求項１〜１３のいずれかに記載のスタンド用重錘ブロック体。
【請求項１５】
前記空洞容器は、ブロー成形により成形可能な形状であることを特徴とする請求項１4に記載のスタンド用重錘ブロック体。
【考案の詳細な説明】
【技術分野】
【０００１】
本考案は、主として屋外で使用される布団干しスタンド、物干しスタンド、看板スタンド等のスタンド体の転倒防止等に使用されるスタンド用重錘ブロック体に関する。
【背景技術】
【０００２】
この種のスタンド体は、全体がパイプ枠で構成されているものが多く、軽量であるが安定性に不安がある。このためスタンド体の底部枠等に重量物を載置して安定化を図っており、専用の重量物もいくつか提案されている。
【０００３】
例えば、特許文献１には、中央部に係合凹部を形成した立方体形状の中空容器に充填水等を充填するとともに、布団干しスタンドの底部枠体に係合凹部を係合させるようにして載置するようにした重錘ブロック体が提案されている。しかし、このような重錘ブロック体は、スタンド底部枠体と地面に距離があるような場合、重錘ブロック体の底面部が地面に接地しないため不安定となり、また、スタンド底部枠体と接触する係合凹部に過度の付加が繰り返し加わるため、その部分の肉厚が薄くなり破損する等の危険性もある。
【０００４】
このため、係合凹部を深く形成しようとすると、成形上、その係合凹部の肉厚が薄くなり、強度が低下するという問題がある。即ち、前述のような中空容器は、一般にブロー成形法により成形されるが、係合凹部が深くなると、樹脂材が部分的に引き延ばされ、その部分の肉厚が薄肉になる傾向にある。また中空容器が平面立方体形状であると、ブロー成形時に、対応する平面金型を樹脂材が均一に延伸せず、肉厚にムラが生じることもある。
【０００５】
さらに、上記重錘ブロック体は、全体が平面立方体形であり、底面接地部分は平面であるため、重錘ブロック体の荷重が全面に分散され、特に水平方向に滑動しやすいという問題がある。
【０００６】
一方、特許文献２及び特許文献３には、スタンドの底部枠体に重錘ブロック体を移動可能に載置したものが提案され、特許文献４には重錘ブロック体を複数本の底部枠体に掛け渡して載置できるようにしたものが提案されている。しかし、これらは単にスタンド全体の下方部に荷重を加えているだけであり、重錘ブロック体自体はスタンド設置面に接地していないため、端的な例としてスタンドに移動車輪が取り付けられているような場合は、スタンド移動を規制することができず、安全性の面で不充分である。
【０００７】
【特許文献１】実開平４−８３１８８号公報
【特許文献２】特開平１１−２５８９９９号公報
【特許文献３】実用新案登録第３０９４４４９号公報
【特許文献４】実用新案登録第３０２０９０１号公報
【考案の開示】
【考案が解決しようとする課題】
【０００８】
本考案は、上述したような問題点を解決することを目的として提案されたものであり、スタンド体の枠部を枠部包持部において適切に保持するとともに、脚部が設置面に強固に接地した状態で、スタンド体を安全確実に固定できるスタンド用重錘ブロック体を提供するものである。
また本考案は、成形時に樹脂材が金型を均一に延伸するような形状とし、均等な肉厚で、品質の高いスタンド用重錘ブロック体を提供するものである。
また本考案は、簡単な構成で安価に製造することのできるスタンド用重錘ブロック体を提供するものである。
【課題を解決するための手段】
【０００９】
上記課題を解決するため、請求項１の考案のスタンド用重錘ブロック体にあっては、
スタンド体の枠部に跨設する重錘ブロック体であり、
前記重錘ブロック体に前記スタンド体枠部を包持する枠部包持部を形成し、
前記枠部包持部の両側部に脚部を形成するとともに、
前記脚部に、該脚部本体部より接地面積を小さくした接地部を形成したことを特徴とする。
【００１０】
スタンド体は特に限定されるものではなく、公知の布団干しスタンド、物干しスタンド、看板スタンド、ビーチパラソル等を使用することができる。これらの多くはステンレス、鉄等の金属パイプ製の枠体で構成されている。重錘ブロックは、スタンド体の設置面（地面、床面等）に近い例えば底部枠部に跨設されるが、スタンド体の構成によっては、これに限定されるものではない。
【００１１】
枠部包持部は、枠体を収納できるスペースがあればよく、枠体包持部に枠体が接触した状態であっても離れた状態であっても良い。ここでは、枠体包持部の形状や大きさは、スタンド枠体部に対応して選定される。また、脚部や接地部の形状等も任意であるが、接地部の接地面積は、脚部本体部の接地面積より小さくする（即ち、接地部の断面積を脚部本体部の断面積より小さくする）。
【００１２】
このようにすれば、重錘ブロック体は、その荷重が接地面積の小さい接地部に集中した状態で設置面と圧接するため、枠部包持部に包持された枠部を介してスタンド体を強固に固定することができる。特にスタンド体の設置面が庭土や芝生等のときは、接地部の全体又は一部分が庭土や芝生等に食い込み、そのアンカー作用によりスタンド体をさらに強固に固定することができ、重錘ブロック体の水平方向の移動も規制される。
【００１３】
また請求項２の考案のスタンド用重錘ブロック体にあっては、
スタンド体の枠部に跨設する重錘ブロック体であり、
前記重錘ブロック体に前記スタンド体枠部を包持する枠部包持部を形成し、
前記枠部包持部の両側部に脚部を形成するとともに、
前記枠部包持部を、接地面からの高さ方向に複数の枠部を包持し得る深さに形成したことを特徴とする。
【００１４】
枠部包持部は、上述と同じように、枠体包持部に枠体が接触した状態であっても離れた状態であっても良い。ここでは枠部包持部の深さは、接地面（スタンド体の設置面）を基準として、高さ方向に複数の枠体が収容できるスペースがあれば良い。したがって、例えば脚部の下端部に補助具を設けて、接地面からのスペースを確保しても良い。
【００１５】
このようにすれば、地面（設置面）からの高さの異なる複数種類のスタンド体製品にも対応することが可能となり、汎用性が高められる。その他は、請求項１の考案と同じである。
【００１６】
また請求項３の考案にあっては、請求項２の考案において、前記脚部に、該脚部本体部より接地面積を小さくした接地部を形成したことを特徴とする。ここでの接地部は請求項１の考案と同じであり、特に限定されるものではない。このような接地部を形成することにより、上述した作用のほかに、特別な補助具等を準備しなくとも、接地面から枠部包持部の深さ方向のスペースを高く確保でき、接地面と枠部包持部の間に複数の高さの枠部が収納可能となる。
【００１７】
また請求項４の考案にあっては、請求項１又は３において、前記接地部は、脚部本体部の底面部に接地凸部を設けたものであることを特徴とする。このようにすると、脚部本体部に接地部を簡単な構成で形成することができる。ここでの接地凸部の形状等は、特に限定されるものではなく、各種の筒形状、柱形状、錐形状等が含まれる。
【００１８】
また請求項５の考案にあっては、請求項４の考案において、前記接地凸部の接地面部を湾曲面としたことを特徴とする。このようにすると、荷重に対する強度も強くなり、安全性にも優れている。
【００１９】
また請求項６の発明にあっては、請求項１〜５のいずれかの考案において、脚部本体部の外側面部を、中央部が膨出した湾曲面としたことを特徴とする。このようにすると、成形する際に、外側面部が平面の場合に比較して、対応する金型における樹脂材の延伸性が良好となり、肉厚が均一に成形されるとともに、型抜きも容易である。
【００２０】
また請求項７の考案にあっては、請求項１又は３の考案において、前記脚部本体部に、下方に向かって鋭角となるような傾斜面を形成し、該傾斜面の先端部を接地部としたことを特徴とする。
【００２１】
このような接地部は、脚部本体部の外側面部、内側面部、下面部等を下方に向かって適度の角度で傾斜させ、先端部を鋭角状に形成すればよく、ここでは、その形態は特に限定されない。このようにすれば、脚部本体部の全体形状を所定形状とするだけで接地部を形成することができる。
【００２２】
また請求項８の本考案にあっては、請求項７の考案において、前記脚部本体部は、前記枠部包持部と連続する下面部を傾斜面としたことを特徴とする。さらに請求項９の考案にあっては、請求項７又は８の考案において、前記脚部本体部の外側面部を外側に向かって傾斜する傾斜面としたことを特徴とする。
【００２３】
このようにすると、脚部本体部の下面部と外側面部を傾斜面とするだけで、これら先端部に鋭角状の接地部を簡単に形成することができる。
【００２４】
また請求項１０の考案にあっては、請求項１〜９のいずれかの考案において、前記枠部包持部は、Ｕ字状に形成されていることを特徴とする。このようにすると、枠部包持部を所定の深さで容易に成形することができ、衝撃にも強い形状であり、重錘ブロック体を枠部に沿ってスムーズにスライド移動させることもできる。
【００２５】
また請求項１１の考案にあっては、請求項１０の考案において、前記枠部包持部は、下方に向かって外側に傾斜する傾斜面を有していることを特徴とする。このようにすると、枠部包持部への枠部の出し入れがスムーズであり、ある程度の幅広の枠部にも対応できる。
【００２６】
また請求項１２の考案にあっては、請求項１〜１１のいずれかの考案において、前記接地部を、脚部本体部の長手方向の端部に設けたことを特徴とする。このように必要な部位にだけ接地部を形成することにより、外観的にも簡素化され、接地部が形成されていない空間部に手を入れて重錘ブロック体を持ち上げることもできる。
【００２７】
また請求項１３の考案にあっては、請求項１〜１２のいずれかの考案において、前記重錘ブロック体のコーナー部は湾曲面であることを特徴とする。このようにすると、歩行者等に対しての安全性にも優れ、成形性も良くなる。
【００２８】
また請求項１４の考案にあっては、請求項１〜１３のいずれかの考案において、前記重錘ブロック体は、空洞容器であり、内部に重量物を充填する口部を有していることを特徴とする。
【００２９】
このような重錘ブロック体は、未使用時に軽量な空洞容器を持ち運ぶことができ、使用時に容器内部に、液体、砂、砂利等の重量物を充填することができるため便利である。
【００３０】
また請求項１５の考案にあっては、請求項１４の考案において、前記空洞容器は、ブロー成形により成形可能な形状であることを特徴とする。ブロー成形法は、ダイレクトブロー成形法、２軸延伸ブロー成形法等、通常の方法で良い。樹脂材も任意であり、ポリプロピレン、ポリカーボネイト、ポリエチレン等が使用できる。
【考案の効果】
【００３１】
上述した本考案のスタンド用重錘ブロックによれば、スタンド体の枠部を枠部包持部において適切に保持するとともに、脚部が設置面に強固に接地した状態で、スタンド体を安全確実に固定できる。
また本考案によれば、成形時に樹脂材が金型を均一に延伸できるような形状としているため、均等な肉厚で、品質の高いスタンド用重錘ブロック体が得られる。
また本考案によれば、簡単な構成で安価に重錘ブロック体を製造することができる、等の効果がある。
【考案を実施するための最良の形態】
【００３２】
以下、本考案の実施形態を添付図面に従って説明する。図１〜図５は本考案の第１実施形態を示すものであり、図中、１は重錘ブロック体を示している。重錘ブロック体１は、ブロー成形法により成形されるプラスチック製の中空容器であり、コーナー部を湾曲面に形成し、全体が丸みのあるボックス形状となっている。この重錘ブロック体１の上面部２には、液体、砂等の充填物を充填する口部３が開口され、通常は図５に示すように把手部４ａを有する蓋体４により閉塞されている。
【００３３】
重錘ブロック１の下面部５の幅方向中央部には、図２及び図４に示すように、長手方向に延びる枠部包持部６が形成され、その左右両側部には脚部７，７が形成されている。枠部包持部６は、図２に示すように内部側に窪むようにＵ字状に形成され、頂面部６ｂは湾曲面に形成されるとともに、脚部７，７となる内面部６ａ，６ａは下方に向かって外側に傾斜する傾斜面となっている。なお、図４に示すように、枠部包持部６の長手方向両端部６ｃ，６ｃは、外側に湾曲に広がった形状となっている。
【００３４】
脚部７，７は、脚部本体部７ａ，７ａの外側面部７ｃ，７ｃが、中央部が外側に膨出した湾曲面となっており、図４に示すように、底面部の前後左右の端部に接地部７ｂ，７ｂが突出して形成されている。この接地部７ｂ，７ｂは、図２に示すように、脚部本体部７ａ，７ａの幅長より小径の半球形状であり、下部の接地面部が湾曲面に形成されている。このため、接地部７ｂ，７ｂの接地面積は、脚部本体部７ａ，７ａの底面積（接地部７ｂ，７ｂが無いときの脚部本体部７ａ，７ａの接地面積）より小さくなっている。
【００３５】
図６〜図９は、本考案の第２実施形態を示すものであり、図中、１０は重錘ブロック体を示している。重錘ブロック体１０は、第１実施形態と同じように、ブロー成形法により成形されるプラスチック製の中空容器であり、コーナー部を湾曲面に形成したボックス形状となっている。また、重錘ブロック体１０の上面部１２には、液体、砂等の充填物を充填する口部（図示せず）が開口され、把手部１４ａを有する蓋体１４により閉塞されている。
【００３６】
重錘ブロック１０の下面部の幅方向中央部には、長手方向に延びる枠部包持部１６が形成され、その左右両側部には脚部１７，１７が形成されている。枠部包持部１６は、図７に示すように内部側に窪むようにＵ字状に形成され、頂面部１６ｂは湾曲面に形成されるとともに、脚部１７，１７となる内面部１６ａ，１６ａは下方に向かって外側に傾斜する傾斜面となっている。
【００３７】
脚部１７，１７は、図７に示すように、脚部本体部１７ａ，１７ａの外側面部１７ｃ，１７ｃが外側に向かって傾斜する傾斜面となっている。また、前記枠部包持部１６の内面部１６ａ，１６ａと連続する下面部１７ｄ，１７ｄは外側に向かって傾斜面となっており、この下面部１７ｄ，１７ｄと外側面部１７ｃ，１７ｃの先端部によって鋭角状の接地部１７ｂ，１７ｂが形成されている。
【００３８】
ここで枠部包持部１６の内面部１６ａ，１６ａと、下面部１７ｄ，１７ｄの傾斜角は相違しており、重錘ブロック載置面に対して、内面部１６ａ，１６ａの傾斜角は下面部１７ｄ，１７ｄの傾斜角よりも大きくなっている。なお、接地部１７ｂ，１７ｂの先端部は湾曲状に成形されている。
【００３９】
また、脚部本体部１７ａ，１７ａの外側面部１７ｃ，１７ｃは、図６に示すように、上部に凹形状となっている段差部１７ｅ，１７ｅが形成され、各外側面部１７ｃ，１７ｃの長手方向両端部に前記接地部１７ｂ，１７ｂが形成されている。即ち、接地部は１７ｂ，１７ｂは図９に示すように、脚部本体部１７ａ，１７ａの前後左右の端部に形成される。重錘ブロック体１０は、段差部１７ｅ，１７ｅに手を入れて持ち上げることができる。
【００４０】
上記スタンド用重錘ブロック体1，１０は、通常のブロー成形法により成形可能である。一例として、第１実施態様の重錘ブロック体１では、図２に示す中心線８を境にして上半分を上部金型、下半分を下部金型とし、両金型の間に樹脂材を流し込み、エアーを吹き込んで図示した形状に成形することができる。この場合、第１実施態様の重錘ブロック体１は、全体が丸みのある形状であり、特に脚部外側面部７ｃ，７ｃが湾曲面となっているため、樹脂材が対応する金型面を均一に延伸し、肉厚の均一な成型品となる。
【００４１】
次に本考案のスタンド用重錘ブロック体の使用例を、上記第１実施態様の重錘ブロック体１を例にとって説明する。図１０は、スタンド体２０として布団干し用のスタンドを示しており、ステンレスパイプ等の枠体で構成され、各上部枠部２０ｂに布団を掛けて使用する。
【００４２】
このスタンド体２０の底部枠部２０ａに、前記重錘ブロック体１の枠部包持部６を挿入し、重錘ブロック体１をスタンド体２０の設置面Ｇ（図２、図７参照）に載置することにより、底面枠部２０ａに重錘ブロック体１の荷重が加わって押圧され、スタンド体２０が設置面Ｇに固定化される。重錘ブロック体１の接地部７ｂは部分的に又は全体が地面に食い込んだ状態となっている。
【００４３】
図１０では便宜上、一箇所の底面枠部２０ａに重錘ブロック体１を載せているが、全ての底面枠部２０ａに載せても良い。また上記第２実施態様の重錘ブロック体１０も同様にして使用することができる。なお、スタンド体２０は例示であり、多種多様なスタンド体に本考案の重錘ブロック体を使用できることは言うまでもない。
【図面の簡単な説明】
【００４４】
【図１】本考案の第１実施態様のスタンド用重錘ブロック体を示す一部断面正面図である。
【図２】同じく側面図である。
【図３】同じく平面図である。
【図４】同じく底面図である。
【図５】同じく口部の拡大断面図である。
【図６】本考案の第２実施態様のスタンド用重錘ブロック体を示す正面図である。
【図７】同じく側面図である。
【図８】同じく平面図である。
【図９】同じく底面図である。
【図１０】本考案のスタンド用重錘ブロック体の使用状態説明図である。
【符号の説明】
【００４５】
１，１０は重錘ブロック体
２，１２は上面部
３は口部
４，１４は蓋体
５は下面部
６，１６は枠部包持部
６ａ，１６ａは内面部
６ｂ，１６ｂは頂面部
６ｃは端部
７，１７は脚部
７ａ，１７ａは脚部本体部
７ｂ，１７ｂは接地部
７ｃ，１７ｃは外側面部
２０はスタンド体
２０ａは枠部（底部）
【図１】
0003126828.tif 000003
【図２】
0003126828.tif 000004
【図３】
0003126828.tif 000005
【図４】
0003126828.tif 000006
【図５】
0003126828.tif 000007
【図６】
0003126828.tif 000008
【図７】
0003126828.tif 000009
【図８】
0003126828.tif 000010
【図９】
0003126828.tif 000011
【図１０】
0003126828.tif 000012